(57)【要約】【課題】商品陳列室をショーケース本体の横幅方向に沿って複数の陳列室内区画に仕切り、各陳列室内区画に冷却商品又は非冷却商品のいずれかを陳列することができるオープンショーケースを提供する。【解決手段】ショーケース本体３の内部に商品陳列室６が形成され、ショーケース本体３内の底面と背面と上面とに沿ってダクト１１が形成され、冷却器１２により冷却された冷気をダクト１１内に循環させてエアカーテンを形成するオープンショーケース１において、商品陳列室６内をショーケース本体３の横幅方向に沿って複数の陳列室内区画８ａ、８ｂに仕切る陳列室内仕切板９と、ダクト１１内を陳列室内区画８ａ、８ｂのいずれかに連通する複数のダクト内区画１６に仕切るダクト内仕切板１５と、各ダクト内区画１６を冷気が流れる開放位置と冷気が流れを遮断する閉止位置とに切換可能な可動ダンパ１７とを設ける。【選択図】図１
2015139510.tif 000002
【特許請求の範囲】
【請求項１】
前面に開口が形成されるとともに内部に商品陳列室が形成されたショーケース本体と、前記ショーケース本体内の底面と背面と上面とに沿って形成されたダクトと、前記ダクト内に設置された冷却器及び送風ファンとを有し、前記冷却器により冷却された冷気が前記ダクト内を送風され、この冷気が前記ダクトの上部前端側に形成された冷気吹出口から下向きに吹出して前記ダクトの下部前端側に形成された冷気吸込口から吸込まれることにより前記開口を覆うエアカーテンが形成されるオープンショーケースにおいて、
前記商品陳列室内を前記ショーケース本体の横幅方向に沿って複数の陳列室内区画に仕切る少なくとも１つの陳列室内仕切板と、
前記ダクト内の上部側に設けられ、このダクト内を前記陳列室内区画のいずれかに連通する複数のダクト内区画に仕切る少なくとも１つのダクト内仕切板と、
前記ダクト内区画のそれぞれに配置され、このダクト内区画を冷気が流れることを許容する開放位置と冷気が流れることを遮断する閉止位置とに切換可能な複数の可動ダンパと、
を有することを特徴とするオープンショーケース。
【請求項２】
前記陳列室内仕切板は、前記ショーケース本体の横幅方向に沿って位置調節可能に設けられていることを特徴とする請求項１記載のオープンショーケース。
【請求項３】
前記可動ダンパは、開放位置と閉止位置とに手動により上下方向回動可能に設けられ、上方に回動した開放位置又は閉止位置で前記可動ダンパを磁力により吸着保持する吸着保持部が前記ショーケース本体に設けられていることを特徴とする請求項１又は２記載のオープンショーケース。
【請求項４】
前記冷気吹出口に吹出口整流体が着脱可能に取付けられ、前記吹出口整流体を取外した前記冷気吹出口から挿入された操作棒が引っ掛けられ、この操作棒が押し引きされることにより前記可動ダンパが開放位置と閉止位置とに回動操作される取手が前記可動ダンパに設けられていることを特徴とする請求項１ないし３のいずれか一項に記載のオープンショーケース。
【請求項５】
前記可動ダンパにこの可動ダンパを開放位置と閉止位置とに回動操作する取手が設けられ、この取手は前記ダクトを形成するダクト形成板を貫通して前記商品陳列室内に突出していることを特徴とする請求項１ないし３のいずれか一項に記載のオープンショーケース。
【請求項６】
個々の前記可動ダンパの開放位置と閉止位置とへの切換状態を検出する検出部と、この検出部が検出した前記可動ダンパの開閉数に応じて前記送風ファンの回転数を変化させる回転数制御手段とを有することを特徴とする請求項１ないし５のいずれか一項に記載のオープンショーケース。
【発明の詳細な説明】
【技術分野】
【０００１】
本発明は、スーパーマーケットやコンビニエンスストア等に設置され、冷却商品や非冷却商品を陳列して販売するためのオープンショーケースに関する。
【背景技術】
【０００２】
従来、スーパーマーケットやコンビニエンスストア等の店舗では、冷気循環式のオープンショーケースが使用されている。このようなオープンショーケースは、冷却商品や非冷却商品を陳列して販売するために使用されており、冷却商品を陳列する場合には冷気を循環させ、非冷却商品を陳列する場合には冷気の循環を停止させている。
【０００３】
このため、冷却商品と非冷却商品とを同時に陳列して販売するためには二台のオープンショーケースが必要となり、コストが増大する。また、店舗面積が狭い場合には、二台のオープンショーケースを設置することが困難になる。
【０００４】
一方、下記特許文献１に記載されているように、商品を陳列する陳列室を上下二段に仕切り、上段の陳列室に冷却商品を陳列し、下段の陳列室に非冷却商品又は冷却温度を高めに設定できる商品を陳列するようにしたオープンショーケースが知られている。
【０００５】
下記特許文献１に記載されたオープンショーケースによれば、上段の陳列室には冷却器で冷却された冷気を循環させ、下段の陳列室には上段の陳列室から漏れた少量の冷気を含む空気を循環させ、又は、必要に応じて空気の循環を停止させている。
【先行技術文献】
【特許文献】
【０００６】
【特許文献１】特開平１１−０２３１３３号公報
【発明の概要】
【発明が解決しようとする課題】
【０００７】
しかしながら、特許文献１に記載されたオープンショーケースでは、上段の陳列室に冷却商品を陳列し、下段の陳列室に非冷却商品を陳列するという制約があり、上下両方の陳列室に冷却商品を陳列することはできず、オープンショーケースの使用形態が制限されている。
【０００８】
本発明は、このような課題を解決するためになされたものであり、その目的は、商品陳列室をショーケース本体の横幅方向に沿って複数の陳列室内区画に仕切り、各陳列室内区画に冷却商品又は非冷却商品のいずれかを陳列することができるオープンショーケースを提供することである。
【課題を解決するための手段】
【０００９】
本発明に係るオープンショーケースは、前面に開口が形成されるとともに内部に商品陳列室が形成されたショーケース本体と、前記ショーケース本体内の底面と背面と上面とに沿って形成されたダクトと、前記ダクト内に設置された冷却器及び送風ファンとを有し、前記冷却器により冷却された冷気が前記ダクト内を送風され、この冷気が前記ダクトの上部前端側に形成された冷気吹出口から下向きに吹出して前記ダクトの下部前端側に形成された冷気吸込口から吸込まれることにより前記開口を覆うエアカーテンが形成されるオープンショーケースにおいて、前記商品陳列室内を前記ショーケース本体の横幅方向に沿って複数の陳列室内区画に仕切る少なくとも１つの陳列室内仕切板と、前記ダクト内の上部側に設けられ、このダクト内を前記陳列室内区画のいずれかに連通する複数のダクト内区画に仕切る少なくとも１つのダクト内仕切板と、前記ダクト内区画のそれぞれに配置され、このダクト内区画を冷気が流れることを許容する開放位置と冷気が流れることを遮断する閉止位置とに切換可能な複数の可動ダンパと、を有することを特徴とする。
【００１０】
また、前述の本発明に係るオープンショーケースにおいて、前記陳列室内仕切板は、前記ショーケース本体の横幅方向に沿って位置調節可能に設けられていることが望ましい。
【００１１】
また、前述の本発明に係るオープンショーケースにおいて、前記可動ダンパは、開放位置と閉止位置とに手動により上下方向回動可能に設けられ、上方に回動した開放位置又は閉止位置で前記可動ダンパを磁力により吸着保持する吸着保持部が前記ショーケース本体に設けられていることが望ましい。
【００１２】
また、前述の本発明に係るオープンショーケースにおいて、前記冷気吹出口に吹出口整流体が着脱可能に取付けられ、前記吹出口整流体を取外した前記冷気吹出口から挿入された操作棒が引っ掛けられ、この操作棒が押し引きされることにより前記可動ダンパが開放位置と閉止位置とに回動操作される取手が前記可動ダンパに設けられていることが望ましい。
【００１３】
また、前述の本発明に係るオープンショーケースにおいて、前記可動ダンパにこの可動ダンパを開放位置と閉止位置とに回動操作する取手が設けられ、この取手は前記ダクトを形成するダクト形成板を貫通して前記商品陳列室内に突出していることが望ましい。
【００１４】
また、前述の本発明に係るオープンショーケースにおいて、個々の前記可動ダンパの開放位置と閉止位置とへの切換状態を検出する検出部と、この検出部が検出した前記可動ダンパの開閉数に応じて前記送風ファンの回転数を変化させる回転数制御手段とを有することが望ましい。
【発明の効果】
【００１５】
本発明に係るオープンショーケースによれば、各陳列室内区画に冷却商品又は非冷却商品を陳列し、冷却商品が陳列された陳列室内区画に連通されるダクト内区画に配置された可動ダンパを開放位置に切換えることにより、ダクト内を送風された冷気が冷却商品を陳列した陳列室内区画に流入し、冷却商品が冷却される。一方、非冷却商品が陳列された陳列室内区画に連通されるダクト内区画に配置された可動ダンパを閉止位置に切換えることにより、ダクト内を流れた冷気が非冷却商品を陳列した陳列室内区画に流入することが遮断され、非冷却商品は冷却されない。したがって、１台のオープンショーケースにおいて、少なくとも１つの陳列室内区画に冷却商品を陳列し、他の陳列室内区画に非冷却商品を陳列して販売することができる。また、全ての可動ダンパを開放位置に切換えることにより全ての陳列室内区画に冷却商品を陳列して販売することもできる。また、冷気の送風を停止させることにより、全ての陳列室内区画に非冷却商品を陳列して販売することもできる。
【００１６】
また、陳列室内仕切板をショーケース本体の横幅方向に沿って位置調節することにより、各陳列室内区画のスペースの比率を変えることができ、季節や時間により、オープンショーケースにおける冷却商品を陳列するスペースを増減したり非冷却商品を陳列するスペースを増減したりすることができる。
【００１７】
また、上下方向回動可能な可動ダンパは、上方に回動した開放位置又は閉止位置において吸着保持部の磁力により吸着保持されるため、上方に回動した開放位置又は閉止位置での可動ダンパの保持を簡単な構造で確実に行うことができる。なお、下方に回動した閉止位置又は開放位置では、可動ダンパを自重によりその位置で保持することができる。
【００１８】
また、冷気吹出口に着脱可能に取付けられている吹出口整流体を冷気吹出口から取外し、冷気吹出口から挿入した操作棒を可動ダンパの取手に引っ掛け、取手に引っ掛けた操作棒を押し引きすることにより可動ダンパを開放位置と閉止位置とに回動操作することができ、可動ダンパを開放位置と閉止位置とに回動させる操作を容易に行うことができる。
【００１９】
また、ダクト形成板を貫通して商品陳列室内に突出している取手を把持し、この取手を押し引きすることにより可動ダンパを開放位置と閉止位置とに回動操作することができ、可動ダンパを開放位置と閉止位置とに回動させる操作を容易に行うことができる。
【００２０】
また、個々の可動ダンパの開放位置と閉止位置とへの切換状態を検出部で検出し、検出部が検出した可動ダンパの開閉数に応じて送風ファンの回転数を変化させ、例えば、開放位置に切換えられている可動ダンパの数が多い場合には送風ファンの回転数を高くし、冷却商品を冷却するために必要な量の冷気を発生させることができる。
【図面の簡単な説明】
【００２１】
【図１】本発明の第１の実施形態のオープンショーケースを示す断面側面図である。
【図２】オープンショーケースを示す正面図である。
【図３】商品陳列台と陳列室内仕切板とダクト内仕切板と可動ダンパとの配置状態を示す斜視図である。
【図４】可動ダンパを拡大して示す斜視図である。
【図５】開放位置に回動した可動ダンパとその周辺部材とを拡大して示す断面側面図である。
【図６】閉止位置に回動した可動ダンパとその周辺部材とを拡大して示す断面側面図である。
【図７】可動ダンパを開放位置と閉止位置とに回動させる構成を拡大して示す断面側面図である。
【図８】本発明の第２の実施形態のオープンショーケースを示す断面側面図である。
【図９】開放位置に回動した可動ダンパとその周辺部材とを拡大して示す断面側面図である。
【図１０】閉止位置に回動した可動ダンパとその周辺部材とを拡大して示す断面側面図である。
【発明を実施するための形態】
【００２２】
（第１の実施形態）
本発明の第１の実施形態のオープンショーケース１について、図１ないし図７に基づいて説明する。図１は、第１の実施形態のオープンショーケース１を示す断面側面図である。このオープンショーケース１は、基台２と基台２の上に固定されたショーケース本体３とを有している。ショーケース本体３は、断面形状略コの字型の断熱材で形成され、ショーケース本体３の前面に開口４が形成され、ショーケース本体３の横幅方向の両側には側板５が取付けられている。ショーケース本体３の内部には、ショーケース本体３の横幅方向の両端を側板５により覆われた商品陳列室６が形成されている。商品陳列室６内には、商品を陳列するための商品陳列台７が上下方向に３段設けられ、さらに、商品陳列室６をショーケース本体３の横幅方向に沿って２つの陳列室内区画８ａ、８ｂ（図１では一方の陳列室内区画８ａのみを図示）に仕切る陳列室内仕切板９が設けられている。
【００２３】
ショーケース本体３の内周部には、ショーケース本体３の底面と背面と上面とに沿ってダクト形成板１０が設けられており、このダクト形成板１０とショーケース本体３との間に、ショーケース本体３の底面と背面と上面とに沿ったダクト１１が形成されている。ダクト１１内には、冷却器１２と送風ファン１３とが設置され、冷却器１２により冷却された冷気が送風ファン１３によりダクト１１内を送風されるようになっている。
【００２４】
冷却器１２には、冷媒が流れるパイプを介して圧縮機や凝縮器や膨張弁（いずれも図示せず）等の冷凍装置を構成する機器が接続されている。膨張弁は冷却器１２と共にダクト１１内に設置され、圧縮機や凝縮器は基台２内に設置されている。基台２には、圧縮機や凝縮器で発生した熱を排熱する排熱ダクト１４が接続され、排熱ダクト１４はショーケース本体３の後側に位置して立設されている。
【００２５】
ダクト１１内の上部側には、このダクト１１内の上部側をショーケース本体３の横幅方向に沿って仕切る３枚のダクト内仕切板１５ａ、１５ｂ、１５ｃ（必要に応じて１５と表わす）が設けられている。ダクト１１内の上部側は、これらのダクト内仕切板１５と一対の側板５とにより４つのダクト内区画１６ａ、１６ｂ、１６ｃ、１６ｄ（必要に応じて１６と表わす）に仕切られている。
【００２６】
各ダクト内区画１６には、ダクト内区画１６を冷気が流れることを許容する開放位置と、ダクト内区画１６を冷気が流れることを遮断する閉止位置とに切換可能な可動ダンパ１７ａ、１７ｂ、１７ｃ、１７ｄ（必要に応じて１７と表わす）が１つずつ配置されている。可動ダンパ１７、ダクト内仕切板１５、ダクト内区画１６については、後から詳しく説明する。
【００２７】
ダクト１１の上部前端側には、ダクト１１内を送風された冷気が下向きに吹出す冷気吹出口１８が形成され、ダクト１１の下部前端側には、冷気吹出口１８から吹出した冷気が吸込まれる冷気吸込口１９が形成されている。冷気吹出口１８には、吹出す冷気を整流するハニカム構造の吹出口整流体２０が着脱可能に取付けられている。そして、冷気吹出口１８から吹出して冷気吸込口１９に吸い込まれるように流れる矢印で示した冷気により、ショーケース本体３の開口４を覆うエアカーテンが形成されている。なお、このエアカーテンは、後述するように陳列室内区画８ａ、８ｂが冷却商品を陳列する区画と非冷却商品を陳列する区画とに区分けされた場合、冷却商品を陳列する区画の部分にのみ形成されるようになっている。
【００２８】
図２は、オープンショーケース１を示す正面図である。商品陳列室６内には、上述したように商品陳列台７と陳列室内仕切板９とが設けられ、商品陳列室６は陳列室内仕切板９によりショーケース本体３の横幅方向に沿って２つの陳列室内区画８ａ、８ｂに仕切られている。陳列室内区画８ａは、一方の側板５と陳列室内仕切板９との間に形成された区画であり、陳列室内区画８ｂは、陳列室内仕切板９と他方の側板５との間に形成された区画である。陳列室内仕切板９は、ショーケース本体３の横幅方向に沿って位置調節可能に設けられており、陳列室内仕切板９をショーケース本体３の横幅方向に沿ってスライドさせて位置調節することにより、２つの陳列室内区画８ａ、８ｂの面積の比率を変えることができるようになっている。
【００２９】
また、ダクト１１内の上部側には、上述したように、ショーケース本体３の横幅方向に沿って位置する３枚のダクト内仕切板１５ａ、１５ｂ、１５ｃが設けられ、ダクト１１内の上部側はこれらのダクト内仕切板１５ａ〜１５ｃと２枚の側板５とにより４つのダクト内区画１６ａ、１６ｂ、１６ｃ、１６ｄに仕切られている。ダクト内区画１６ａは、一方の側板５とダクト内仕切板１５ａとの間に形成された区画であり、ダクト内区画１６ｂは２つのダクト内仕切板１５ａ、１５ｂの間に形成された区画であり、ダクト内区画１６ｃは２つのダクト内仕切板１５ｂ、１５ｃの間に形成された区画であり、ダクト内区画１６ｄはダクト内仕切板１５ｃと他方の側板５との間に形成された区画である。各ダクト内区画１６には、上述したように可動ダンパ１７がそれぞれ１つずつ配置されている。
【００３０】
図３は、商品陳列台７と、陳列室内仕切板９と、３枚のダクト内仕切板１５ａ、１５ｂ、１５ｃと、４つの可動ダンパ１７ａ、１７ｂ、１７ｃ、１７ｄとの配置状態を示す斜視図である。
【００３１】
陳列室内仕切板９は、図１及び図２で説明したように商品陳列室６を２つの陳列室内区画８ａ、８ｂに仕切る板状部材である。この陳列室内仕切板９には上下２段にスライド溝２１が形成され、これらのスライド溝２１に商品陳列台７がスライド可能に嵌合され、陳列室内仕切板９は実線で示した位置と二点鎖線で示した２つの位置とに位置調節できるようになっている。陳列室内仕切板９には、商品陳列台７の上面に当接し、陳列室内仕切板９が傾くことを防止するための仕切板支え脚２２が取付けられている。
【００３２】
ダクト内仕切板１５ａ〜１５ｃは、図１及び図２で説明したように、ダクト１１内の上部側にショーケース本体３の横幅方向に沿って配列され、ダクト１１内の上部側をショーケース本体３の横幅方向に沿った４つのダクト内区画１６ａ〜１６ｄに仕切る板状部材である。陳列室内仕切板９が図３において実線で示す位置に位置する場合、２つのダクト内区画１６ａ、１６ｂが一方の陳列室内区画８ａに連通され、他の２つのダクト内区画１６ｃ、１６ｄが他方の陳列室内区画８ｂに連通されている。
【００３３】
４つの可動ダンパ１７ａ〜１７ｄは、図１及び図２で説明したように、４つのダクト内区画１６ａ〜１６ｄにそれぞれ１つずつ配置され、冷気がダクト内区画１６ａ〜１６ｄを流れることを許容する開放位置と、冷気がダクト内区画１６ａ〜１６ｄを流れることを遮断する閉止位置とに切換可能に設けられている。図３は、２つの可動ダンパ１７ａ、１７ｂが開放位置に切換えられ、他の２つの可動ダンパ１７ｃ、１７ｄが閉止位置に切換えられている状態を示している。可動ダンパ１７ａ〜１７ｄの開放位置と閉止位置とへの切換えは、後述するように手動による回動操作で行われる。
【００３４】
図４は、可動ダンパ１７を示す斜視図である。可動ダンパ１７は、鉄板製のダンパ本体２３にポリエチレン発泡体からなる断熱材２４を張り付けて形成されている。また、ダンパ本体２３には、可動ダンパ１７をショーケース本体３の上部側内面に回動可能に取付けるための一対の蝶番２５が取付けられている。さらに、ダンパ本体２３には、可動ダンパ１７を開放位置と閉止位置とに回動操作する場合に使用される取手２６が設けられている。
【００３５】
図５は、ショーケース本体３への可動ダンパ１７の取付構造を示すとともに可動ダンパ１７が上方に回動した開放位置に位置している状態を示している。可動ダンパ１７は、蝶番２５によりショーケース本体３の上部側内面に回動可能に取付けられている。可動ダンパ１７が開放位置に位置する場合、その可動ダンパ１７が配置されているダクト内区画１６は開放状態となり、冷気はそのダクト内区画１６を流れることが可能となる。
【００３６】
ショーケース本体３の上部には、吸着保持部２７と検出部２８とが設けられている。吸着保持部２７は、磁石により形成され、可動ダンパ１７が開放位置に回動している場合にダンパ本体２３を磁力により吸着し、可動ダンパ１７は開放位置で保持されている。検出部２８は、出没可能な可動端子２８ａを有して可動ダンパ１７の開放位置と閉止位置とへの切換え状態を検出するセンサであり、可動ダンパ１７が開放位置に回動している場合に可動端子２８ａが可動ダンパ１７に押されて検出部２８の内部に入り込み、可動ダンパ１７が開放位置に回動していることを検出するようになっている。検出部２８は、可動ダンパ１７が開放位置に回動していることを検出すると、検出信号を冷却器１２や送風ファン１３を制御する制御部（図示せず）に送信するようになっている。制御部には、検出部２８から送信された検出信号の数（可動ダンパ１７の開閉数）により送風ファン１３の回転数を変化させる回転数制御手段が設けられている。回転数制御手段は、開放位置に回動している可動ダンパ１７が増えた場合に送風ファン１３の回転数を上げ、開放位置に回動している可動ダンパ１７の数が減った場合に送風ファン１３の回転数を下げるように構成されている。
【００３７】
図６は、ショーケース本体３への可動ダンパ１７の取付構造を示すとともに可動ダンパ１７が下方に回動した閉止位置に位置している状態を示している。可動ダンパ１７は、吸着保持部２７による吸着保持を解除され、蝶番２５による取付部を支点として下方に回動し、先端部がダクト形成板１０の上部に当接されている。可動ダンパ１７が閉止位置に回動することにより、その可動ダンパ１７が配置されているダクト内区画１６が閉止状態となり、そのダクト内区画１６を冷気が流れることが遮断されるようになる。また、可動ダンパ１７が閉止位置に回動することにより可動端子２８ａが検出部２８から突出し、可動ダンパ１７が閉止位置に回動したことが検出される。
【００３８】
図７は、開放位置に回動している可動ダンパ１７を閉止位置に回動させる状態を示している。開放位置に回動している可動ダンパ１７を閉止位置に回動させる操作は、冷気吹出口１８から吹出口整流体２０を取り外し、吹出口整流体２０を取り外した冷気吹出口１８から操作棒２９を挿入し、挿入した操作棒２９の先端部を可動ダンパ１７の取手２６に引っ掛け、その操作棒２９を手前側に引っ張ることにより手動で行われる。また、閉止位置に回動している可動ダンパ１７を開放位置に回動させる操作は、吹出口整流体２０を取り外した冷気吹出口１８から操作棒２９を挿入し、操作棒２９の先端部を取手２６に引っ掛けてその操作棒２９を奥側に押すことにより手動で行われる。
【００３９】
このような構成において、図１ないし図３は、陳列室内仕切板９をショーケース本体３の横幅方向の中央に位置させ、２つの陳列室内区画８ａ、８ｂのスペースを同じにし、一方の陳列室内区画８ａに冷却商品を陳列し、他方の陳列室内区画８ｂに非冷却商品を陳列する場合を示している。この場合、冷却商品を陳列する陳列室内区画８ａに連通されている２つのダクト内区画１６ａ、１６ｂに配置されている可動ダンパ１７ａ、１７ｂは、図５に示したように上方に回動した開放位置に位置している。また、非冷却商品を陳列する陳列室内区画８ｂに連通されている２つのダクト内区画１６ｃ、１６ｄに配置されている可動ダンパ１７ｃ、１７ｄは、図６に示したように下方に回動した閉止位置に位置している。
【００４０】
ダクト内区画１６ａ、１６ｂに設置されている可動ダンパ１７ａ、１７ｂが上方に回動した開放位置に位置する場合には、冷却器１２により冷却された冷気がダクト内区画１６ａ、１６ｂを流れることが許容され、ダクト内区画１６ａ、１６ｂを流れた冷気は冷気吹出口１８における陳列室内区画８ａに面している領域から吹出し、陳列室内区画８ａの開口４を覆うエアカーテンが形成される。そして、エアカーテンを形成する冷気の一部が陳列室内区画８ａに流入することにより、陳列室内区画８ａに陳列されている冷却商品が冷却される。
【００４１】
冷却商品としては、冷却温度が５℃程度が適温であるサラダ類や、冷却温度が２０℃程度が適温であるお弁当等があり、これらの冷却温度の切換えは、冷却器１２での温度設定を切換えることにより行われる。
【００４２】
一方、ダクト内区画１６ｃ、１６ｄに設置されている可動ダンパ１７ｃ、１７ｄが下方に回動した閉止位置に位置する場合には、冷却器１２により冷却された冷気はダクト内区画１６ｃ、１６ｄを流れることが遮断され、冷却器１２により冷却された冷気は冷気吹出口１８における陳列室内区画８ｂに面している領域からは吹出さず、冷気が陳列室内区画８ｂに流入することはなく、陳列室内区画８ｂに陳列された非冷却商品は冷却されない。
【００４３】
このようにして、ダクト内区画１６ａ〜１６ｄを形成するとともに可動ダンパ１７ａ〜１７ｄを配置することにより、ショーケース本体３の横幅方向に位置する一方の陳列室内区画８ａに冷却商品を陳列し、他方の陳列室内区画８ｂに非冷却商品を陳列して販売することができる。このため、冷却商品と非冷却商品とを１つのオープンショーケース１を用いて陳列販売することができ、冷却商品と非冷却商品とを陳列販売するために２つのオープンショーケースを準備する必要がなくなり、設備投資に関するコストの低減を図ることができる。また、冷却商品用と非冷却商品用との２つのオープンショーケースを設置する面積のない店舗面積が狭い店舗においても、冷却商品と非冷却商品とを陳列販売することができる。
【００４４】
可動ダンパ１７が上方に回動した開放位置に位置する場合には、鉄板製のダンパ本体２３が吸着保持部２７に吸着され、可動ダンパ１７は開放位置で保持されている。このため、上方に回動して開放位置に位置する可動ダンパ１７は、簡単な構造で確実に開放位置に保持されている。一方、下方に回動して閉止位置に位置する可動ダンパは、先端部をダクト形成板１０の上部に当接させて自重により閉止位置に位置するように保持されるため、可動ダンパ１７を閉止位置で保持するための機構を設けることは不要になる。
【００４５】
陳列室内仕切板９は、ショーケース本体３の横幅方向に沿ってスライド可能であり、図３において実線で示す位置と二点鎖線で示す２つの位置とに位置調節することができる。そして、陳列室内仕切板９を位置調節した場合には、それに伴って可動ダンパ１７を開放位置又は閉止位置に回動させ、冷却商品を陳列するスペースと非冷却商品を陳列するスペースとの比率を変えることができる。例えば、陳列室内仕切板９を図３において左側に示す二点鎖線の位置に位置調節することにより、陳列室内区画８ａを狭くするとともに陳列室内区画８ｂを広くすることができる。そして、狭くした陳列室内区画８ａに冷却商品を陳列するとともに広くした陳列室内区画８ｂに非冷却商品を陳列する場合には、狭くした陳列室内区画８ａに連通するダクト内区画１６ａの可動ダンパ１７ａを開放位置に維持するとともに、広くした陳列室内区画８ｂに連通するダクト内区画１６ｂの可動ダンパ１７ｂを閉止位置に回動させ、冷気が冷気吹出口１８における陳列室内区画８ａに面している領域のみから吹出すようにし、陳列室内区画８ａに陳列されている冷却商品を冷却する。
【００４６】
このように、陳列室内仕切板９をショーケース本体３の横幅方向に沿って位置調節することにより、陳列室内区画８ａ、８ｂのスペースの比率を変えることができ、季節や時間により、オープンショーケース１における冷却商品を陳列するスペースを増減したり、非冷却商品を陳列するスペースを増減したりすることができる。なお、商品陳列室６の全体に、冷却商品を陳列したり非冷却商品を陳列したりすることも可能である。
【００４７】
陳列室内仕切板９をショーケース本体３の横幅方向に沿って位置調節し、陳列室内区画８ａ、８ｂのスペースの比率を変えた場合において、冷却商品を陳列するスペースの比率が大きくなった場合には冷却商品を冷却するための冷気の必要量が多くなり、冷却商品を陳列するスペースの比率が小さくなった場合には冷却商品を冷却するための冷気の必要量が少なくなる。そこで、可動ダンパ１７が開放位置に位置することを検出する検出部２８を各可動ダンパ１７ごとに設け、開放位置に位置する可動ダンパ１７の数が多くなった場合、すなわち、冷却商品を陳列するスペースの比率が大きくなった場合には、開放位置に位置する可動ダンパ１７の数を検出した検出部２８からの検出結果に基づいて送風ファン１３の回転数を高くする。これにより、冷却商品を冷却するために必要な量の冷気を発生させることができ、冷却商品の冷却を良好に行うことができる。一方、開放位置に位置する可動ダンパ１７の数が少なくなった場合、すなわち、冷却商品を陳列するスペースの比率が小さくなった場合には、開放位置に位置する可動ダンパ１７の数を検出した検出部２８からの検出結果に基づいて送風ファン１３の回転数を低くする。これにより、送風ファン１３を駆動するための消費電力の削減を図ることができる。
【００４８】
可動ダンパ１７を開放位置から閉止位置へ回動させる場合は、図７に示したように冷気吹出口１８から吹出口整流体２０を取外し、吹出口整流体２０を取外した冷気吹出口１８から操作棒２９を挿入して開放位置に位置している可動ダンパ１７の取手２６に引っ掛け、操作棒２９を手前側に引っ張ることにより行う。また、可動ダンパ１７を閉止位置から開放位置へ回動させる場合は、吹出口整流体２０を取外した冷気吹出口１８から操作棒２９を挿入して閉止位置に位置している可動ダンパ１７の取手２６に引っ掛け、操作棒２９を奥側に押すことにより行う。このように、可動ダンパ１７を開放位置から閉止位置へ、又は、閉止位置から開放位置へ回動させる操作は、吹出口整流体２０を取外した冷気吹出口１８から操作棒２９を挿入して取手２６に引っ掛け、操作棒２９を押し引きすることにより容易に行うことができる。
【００４９】
なお、第１の実施形態では、１枚の陳列室内仕切板９を用い、商品陳列室６をショーケース本体３の横幅方向に沿って２つの陳列室内区画８ａ、８ｂに仕切った場合を例に挙げて説明したが、２枚以上の陳列室内仕切板を用い、ショーケース本体３の横幅方向に沿って３つ以上の陳列室内区画に仕切ってもよい。
【００５０】
また、第１の実施形態では、ショーケース本体３への可動ダンパ１７の取付構造が、可動ダンパ１７を上方に回動させることにより開放位置に位置して下方に回動させることにより閉止位置に位置する場合を例に挙げて説明したが、可動ダンパ１７を上方に回動させることにより閉止位置に位置して下方に回動させることにより開放位置に位置するような取付構造としてもよい。
【００５１】
（第２の実施形態）
本発明の第２の実施形態のオープンショーケース３１について、図８ないし図１０に基づいて説明する。なお、図１ないし図７において説明した構成要素と同じ構成要素には同じ符号を付け、重複する説明は省略する。
【００５２】
図８は、第２の実施形態のオープンショーケース３１を示す断面側面図である。このオープンショーケース３１は、断熱材で形成された断面形状コの字型のショーケース本体３２を有し、ショーケース本体３２の上下方向の中央部にはショーケース本体３２の一部である中間仕切板３３が設けられ、ショーケース本体３２の横幅方向の両側には側板（図示せず）が取付けられている。ショーケース本体３２の内部には、中間仕切板３３を挟んだ上下に上部商品陳列室３４と下部商品陳列室３５とが形成されている。また、ショーケース本体３２の前面には、開口３６、３７が形成されている。
【００５３】
まず、上部商品陳列室３４側について説明する。上部商品陳列室３４内には、商品を陳列するための複数の商品陳列台３８と、上部商品陳列室３４内をショーケース本体３２の横幅方向に沿って２つの陳列室内区画３９ａ、３９ｂに仕切る陳列室内仕切板４０とが設けられている。
【００５４】
ショーケース本体３２の内周部には、ショーケース本体３２の底面と背面と上面とに沿ってダクト形成板４１が設けられ、このダクト形成板４１とショーケース本体３２との間に、ショーケース本体３２の底面と背面と上面とに沿ったダクト４２が形成されている。ダクト４２内には、冷気を発生させる冷却器１２と、冷気を送風する送風ファン１３とが設置されている。
【００５５】
ダクト４２の上部前端側には、ダクト４２内を送風された冷気が下向きに吹出す冷気吹出口４３が形成され、ダクト４２の下部前端側には、冷気吹出口４３から吹出した冷気が吸込まれる冷気吸込口４４が形成されている。そして、冷気吹出口４３から吹出して冷気吸込口４４に吸い込まれるように流れる矢印で示した冷気により、開口３６を覆うエアカーテンが形成されている。なお、このエアカーテンは、第１の実施形態で説明したように、陳列室内区画３９ａ、３９ｂが冷却商品を陳列する区画と非冷却商品を陳列する区画とに区分けされた場合、冷却商品を陳列する区画の部分にのみ形成されるようになっている。
【００５６】
ダクト４２内の上部側には、このダクト４２内の上部側をショーケース本体３２の横幅方向に沿って複数のダクト内区画４５に仕切る複数枚のダクト内仕切板４６が設けられている。一部のダクト内区画４５は一方の陳列室内区画３９ａに連通され、他のダクト内区画４５は他方の陳列室内区画３９ｂに連通されている。
【００５７】
各ダクト内区画４５には、各ダクト内区画４５を冷気が流れることを許容する開放位置と、各ダクト内区画４５を冷気が流れることを遮断する閉止位置とに切換可能な可動ダンパ４７が配置されている。可動ダンパ４７は、第１の実施形態で説明した可動ダンパ１７と同様に、上下方向に回動することにより開放位置と閉止位置とに切換えられるようになっている。
【００５８】
図９は、ショーケース本体３２への可動ダンパ４７の取付構造を示すとともに可動ダンパ４７が上方に回動した開放位置に位置している状態を示している。可動ダンパ４７は、蝶番２５によりショーケース本体３２の上部側内面に回動可能に取付けられている。可動ダンパ４７が開放位置に位置する場合、その可動ダンパ４７が設置されているダクト内区画４５は開放状態となり、冷気はそのダクト内区画４５を流れることが許容されるようになっている。
【００５９】
可動ダンパ４７には、この可動ダンパ４７を開放位置と閉止位置とに回動操作するための取手４８が設けられている。取手４８は、ダクト形成板４１を貫通して設けられ、取手４８の先端部は上部商品陳列室３４内に突出している。ダクト形成板４１における上部商品陳列室３４側の面には、可動ダンパ４７を閉止位置に回動させた場合において取手４８を保持する取手保持部４９が取付けられている。
【００６０】
ショーケース本体３２の上部には、第１の実施形態と同じように吸着保持部２７と検出部２８とが設けられている。吸着保持部２７は、磁石により形成され、可動ダンパ４７が開放位置に回動している場合に可動ダンパ４７の鉄板製部材が吸着され、可動ダンパ４７は開放位置で保持されている。検出部２８は、出没可能な可動端子２８ａを有するセンサであり、可動ダンパ４７が開放位置に回動している場合に可動端子２８ａが可動ダンパ４７に押されて検出部２８の内部に入り込み、可動ダンパ４７が開放位置に回動していることを検出するようになっている。
【００６１】
図１０は、ショーケース本体３２への可動ダンパ４７の取付構造を示すとともに可動ダンパ４７が下方に回動した閉止位置に位置している状態を示している。可動ダンパ４７は、吸着保持部２７による吸着保持を解除され、蝶番２５による取付部を支点として下方に回動し、先端部がダクト形成板４１に当接されている。可動ダンパ４７が閉止位置に回動することにより、その可動ダンパ４７が配置されているダクト内区画４５が閉止状態となり、そのダクト内区画４５を冷気が流れることが遮断されるようになる。可動ダンパ４７が閉止位置に位置する場合、上部商品陳列室３４内に伸び出した取手４８は取手保持部４９により保持されている。
【００６２】
つぎに、図８に戻り、下部商品陳列室３５側について説明する。下部商品陳列室３５内には、商品を陳列するための複数の商品陳列台５０が設けられている。
【００６３】
ショーケース本体３２の内周部には、ショーケース本体３２の底面と背面と上面とに沿ってダクト形成板５１が設けられ、このダクト形成板５１とショーケース本体３２との間に、ショーケース本体３２の底面と背面と上面とに沿ったダクト５２が形成されている。ダクト５２内には、冷気を発生させる冷却器１２と、冷気を送風する送風ファン１３とが設置されている。
【００６４】
ダクト５２の上部前端側には、ダクト５２内を送風された冷気が下向きに吹出す冷気吹出口５３が形成され、ダクト５２の下部前端側には、冷気吹出口５３から吹出した冷気が吸込まれる冷気吸込口５４が形成されている。そして、冷気吹出口５３から吹出して冷気吸込口５４に吸い込まれるように流れる矢印で示した冷気により、開口３７を覆うエアカーテンが形成されている。
【００６５】
このような構成において、上部商品陳列室３４は陳列室内仕切板４０によりショーケース本体３２の横幅方向に沿って２つの陳列室内区画３９ａ、３９ｂに仕切られており、一方の陳列室内区画３９ｂに冷却商品が陳列され、他方の陳列室内区画３９ｂに非冷却商品が陳列されている。その場合、陳列室内区画３９ａに連通されているダクト内区画４５に配置されている可動ダンパ４７が図９に示すように上方に回動した開放位置に位置し、陳列室内区画３９ｂに連通されているダクト内区画４５に配置されている可動ダンパ４７が図１０に示すように下方に回動した閉止位置に位置している。
【００６６】
可動ダンパ４７が開放位置に位置しているダクト内区画４５は、冷却器１２により冷却された冷気が流れることが許容されるので、このダクト内区画４５を流れた冷気は冷気吹出口４３における陳列室内区画３９ａに面している領域から吹出し、陳列室内区画３９ａの開口３６を覆うエアカーテンが形成される。そして、エアカーテンを形成する冷気の一部が陳列室内区画３９ａに流入することにより、陳列室内区画３９ａに陳列されている冷却商品が冷却される。
【００６７】
一方、可動ダンパ４７が閉止位置に位置しているダクト内区画４５は、冷却器１２により冷却された冷気が流れることが遮断されるので、冷却器１２により冷却された冷気は冷気吹出口４３における陳列室内区画３９ｂに面している領域からは吹出さず、冷気が陳列室内区画３９ｂに流入することはなく、陳列室内区画３９ｂに陳列された非冷却商品は冷却されない。
【００６８】
このようにして、複数のダクト内区画４５を形成するとともに複数の可動ダンパ４７を配置することにより、ショーケース本体３２の横幅方向に位置する１つの陳列室内区画３９ａに冷却商品を陳列し、他の陳列室内区画３９ｂに非冷却商品を陳列して販売することができる。このため、冷却商品と非冷却商品とを１つのオープンショーケース３１を用いて陳列販売することができ、冷却商品と非冷却商品とを陳列販売するために２つのオープンショーケースを準備する必要がなくなり、設備投資に関するコストの低減を図ることができる。また、２つのオープンショーケースを設置する面積のない店舗面積が狭い店舗においても、冷却商品と非冷却商品とを陳列販売することができる。
【００６９】
可動ダンパ４７を開放位置から閉止位置へ、又は、閉止位置から開放位置へ回動させる場合は、取手４８を把持し、取手４８を下方へ引っ張り又は上方へ押し上げることにより手動で行う。開放位置へ回動した可動ダンパ４７は、吸着保持部２７により吸着され、開放位置で保持される。これにより、可動ダンパ１７を開放位置から閉止位置へ、又は、閉止位置から開放位置へ回動させる操作を、取手４８を把持して押し引きすることにより容易に行うことができる。
【００７０】
また、下部商品陳列室３５に冷却商品を陳列し、冷却器１２や送風ファン１３を駆動させることにより、冷却器１２により冷却された冷気がダクト５２内を流れて冷気吹出口４３から吹出し、下部商品陳列室３５の開口３７を覆うエアカーテンが形成される。そして、エアカーテンを形成する冷気の一部が下部商品陳列室３５に流入することにより、下部商品陳列室３５に陳列されている冷却商品が冷却される。
【００７１】
なお、下部商品陳列室３５に非冷却商品を陳列し、冷却器１２の駆動を停止させれば、下部商品陳列室３５を非冷却商品の陳列販売に利用することができる。
【００７２】
本発明は、前述の実施形態に限るものではなく、その要旨を逸脱しない範囲において種々変更可能である。例えば、前述の実施形態に示される全構成要素から幾つかの構成要素を削除してもよく、さらに、異なる実施形態に係る構成要素を適宜組み合わせてもよい。
【符号の説明】
【００７３】
１    オープンショーケース
２    基台
３    ショーケース本体
４    開口
５    側板
６    商品陳列室
７    商品陳列台
８ａ、８ｂ  陳列室内区画
９    陳列室内仕切板
１０    ダクト形成板
１１    ダクト
１２    冷却器
１３    送風ファン
１４    排熱ダクト
１５（１５ａ、１５ｂ、１５ｃ）    ダクト内仕切板
１６（１６ａ、１６ｂ、１６ｃ、１６ｄ）    ダクト内区画
１７（１７ａ、１７ｂ、１７ｃ、１７ｄ）    可動ダンパ
１８    冷気吹出口
１９    冷気吸込口
２０    吹出口整流体
２１    スライド溝
２２    仕切板支え脚
２３    ダンパ本体
２４    断熱材
２５    蝶番
２６    取手
２７    吸着保持部
２８    検出部
２８ａ  可動端子
２９    操作棒
３１    オープンショーケース
３２    ショーケース本体
３３    中間仕切板
３４    上部商品陳列室
３５    下部商品陳列室
３６    開口
３７    開口
３８    商品陳列台
３９ａ、３９ｂ  陳列室内区画
４０    陳列室内仕切板
４１    ダクト形成板
４２    ダクト
４３    冷気吹出口
４４    冷気吸込口
４５    ダクト内区画
４６    ダクト内仕切板
４７    可動ダンパ
４８    取手
４９    取手保持部
５０    商品陳列台
５１    ダクト形成板
５２    ダクト
５３    冷気吹出口
５４    冷気吸込口
【図１】
2015139510.tif 000003
【図２】
2015139510.tif 000004
【図３】
2015139510.tif 000005
【図４】
2015139510.tif 000006
【図５】
2015139510.tif 000007
【図６】
2015139510.tif 000008
【図７】
2015139510.tif 000009
【図８】
2015139510.tif 000010
【図９】
2015139510.tif 000011
【図１０】
2015139510.tif 000012